(57)【特許請求の範囲】
【請求項１】
硬貨に放射線を照射する放射線照射手段と、
該放射線照射手段により照射された放射線の硬貨透過光線を受光し可視光データに変換する受光手段と、
該受光手段からの可視光データを画像データに変換する画像処理手段と、
該画像処理手段により変換された画像データから割り出される明暗度を基準データと比較することにより硬貨の厚さおよび硬貨の模様の高さから硬貨の真偽を判別する判別手段と、
を具備することを特徴とする硬貨判別装置。
【請求項２】
前記放射線照射手段は、Ｘ線を照射することを特徴とする請求項１記載の硬貨判別装置。
【請求項３】
前記受光手段としてＸ線シンチレータを用いることを特徴とする請求項２記載の硬貨判別装置。
【発明の詳細な説明】
【０００１】
【発明の属する技術分野】
本発明は、硬貨の真偽判別を行う硬貨判別装置に関する。
【０００２】
【従来の技術】
硬貨の真偽判別を行う硬貨判別装置の従来のものとして、例えば特開平６−２２３２５３号公報に開示されたものが知られている。
この装置は、検知する硬貨が搬送され、該硬貨が半球状のシェルからなるケーシングの中心と一致すると、光源から硬貨に向け光が照射される。そして、この光の硬貨の表面における反射光を光ファイバによって受光し、受光した反射光の光量を電気的な検出信号に変換し、検出信号を積分する。この積分したデータを受光端部の中心軸とケーシングの中心軸がなす角度に対してプロットし、検出データ曲線の傾きを算出し、基準の傾きと比較することにより、硬貨の金種および真偽を判別する。
【０００３】
【発明が解決しようとする課題】
硬貨の真偽を判別する場合、従来は、表裏のいずれか一方の面の検出を行って真偽を判別したり、あるいは表裏それぞれの面を別々に検出してそれぞれの面の真偽を総合して真偽を判別したりしている。
しかしながら、これらの真偽判別では、表裏それぞれが精巧に造られたものについては、偽硬貨と判別できない場合があった。
したがって、本発明の目的は、表裏それぞれが精巧に造られていても、偽硬貨と判別することができる硬貨判別装置を提供することである。
【０００４】
【課題を解決するための手段】
上記目的を達成するため、本発明の請求項１記載の硬貨判別装置は、硬貨に放射線を照射する放射線照射手段と、該放射線照射手段により照射された放射線の硬貨透過光線を受光し可視光データに変換する受光手段と、該受光手段からの可視光データを画像データに変換する画像処理手段と、該画像処理手段により変換された画像データから割り出される明暗度を基準データと比較することにより硬貨の厚さおよび硬貨の模様の高さから硬貨の真偽を判別する判別手段と、を具備することを特徴としている。
これにより、放射線照射手段から硬貨に放射線を照射し、該放射線の硬貨透過光線を受光手段で受光し可視光データに変換して、さらに該可視光データを画像処理手段で画像データに変換して、該画像データを判別手段が基準データと比較して硬貨の真偽を判別する。
【０００５】
本発明の請求項２記載の硬貨判別装置は、請求項１記載のものに関して、前記放射線照射手段は、Ｘ線を照射することを特徴としている。
これにより、放射線照射手段から硬貨にＸ線を照射し、該Ｘ線の硬貨透過光線を受光手段で受光し可視光データに変換して、さらに該可視光データを画像処理手段で画像データに変換して、該画像データを判別手段が基準データと比較して硬貨の真偽を判別する。
【０００６】
本発明の請求項３記載の硬貨判別装置は、請求項２記載のものに関して、前記受光手段としてＸ線シンチレータを用いることを特徴としている。
これにより、放射線照射手段から硬貨にＸ線を照射し、該Ｘ線の硬貨透過光線をＸ線シンチレータで受光し可視光データに変換して、さらに該可視光データを画像処理手段で画像データに変換して、該画像データを判別手段が基準データと比較して硬貨の真偽を判別する。
【０００７】
【発明の実施の形態】
本発明の硬貨判別装置の一の実施の形態を図面を参照して以下に説明する。
この実施の形態の硬貨判別装置１１は、硬貨Ｃを搬送する硬貨搬送路１２の上方に設けられて硬貨搬送路１２の方向にＸ線を照射するＸ線照射装置（放射線照射手段）１３と、このＸ線照射装置１３のＸ線照射方向に配置されるとともに、硬貨搬送路１２の一部を構成するＸ線シンチレータ（受光手段）１４とを有している。
【０００８】
Ｘ線照射装置１３は、硬貨搬送路１２上で搬送されてくる硬貨Ｃが、搬送中、この硬貨搬送路１２の一部を構成するＸ線シンチレータ１４上の所定位置に位置したときに、該硬貨ＣにＸ線を照射する。
Ｘ線シンチレータ１４は、Ｘ線照射装置１３により照射されたＸ線の硬貨Ｃを透過した後の光線（すなわちＸ線像）を受光して可視光データに変換する。ここで、Ｘ線シンチレータ１４は、Ｘ線が発光物質に衝突して発する光を光電子倍増管やフォトダイオードなどで電圧パルスに変えて測定する装置であり、Ｘ線を二色（白黒）の可視光データに変換する。
【０００９】
さらに、硬貨判別装置１１は、Ｘ線シンチレータ１４の可視光データを伝達する光デバイス１５と、該光デバイス１５で伝達された可視光データを画像データに変換する画像処理装置（画像処理手段）１６と、画像処理装置１６により変換された画像データを一時記憶するＲＡＭ１８と、予め撮影した真の硬貨の画像データ等が記憶されているＲＯＭ１９と、ＲＡＭ１８に一時記憶した画像データをＲＯＭ１９に記憶されている基準データと比較することにより硬貨Ｃの真偽を判別する比較判別装置（判別手段）２０とを有している。
【００１０】
光デバイス１５は、具体的には、Ｘ線シンチレータ１４と画像処理装置１６とを結ぶ光ファイバが多数束状にされて構成されており、Ｘ線シンチレータ１４の可視光データを画像処理装置１６に伝達する。
画像処理装置１６は、高画素のＣＣＤとＭＯＳイメージセンサとが組み合わせて構成されるもので、可視光データを電子データ化して画像データとする。
【００１１】
これにより、Ｘ線照射装置１３から硬貨Ｃに放射線を照射し、該Ｘ線の硬貨Ｃにおける透過光線をＸ線シンチレータ１４で受光し可視光データに変換して、さらに該可視光データを光デバイス１５で伝達して画像処理装置１６で画像データに変換して、該画像データを比較判別装置２０が基準データと比較して硬貨Ｃの真偽を判別することになる。
【００１２】
そして、比較判別装置２０が、判別硬貨Ｃの画像データと基準データとを比較して判別する。ここで、比較判別の項目としては、例えば、以下がある。
判別硬貨Ｃの画像データから該判別硬貨Ｃ全体の外周円を割り出しこれから直径を求めてこれを基準データの直径と比較して直径の正常異常を判定する。
判別硬貨Ｃの画像データから打刻された模様すなわち刻印の有無を割り出して、これを基準データと比較して刻印の有無の正常異常を判別する。
判別硬貨Ｃの画像データから模様すなわち刻印の各位置関係を割り出して、これを基準データと比較して、刻印の位置関係の正常異常を判定する。
判別硬貨Ｃの画像データから模様すなわち刻印の明暗度を割り出して、これを基準データと比較して、刻印の高さの正常異常を判定する。
判別硬貨Ｃの画像データの全体の明暗度を割り出して、これを基準データと比較して、硬貨Ｃの厚さの正常異常を判別する。
【００１３】
そして、例えば上記した全ての項目で正常と判定された場合のみ判別硬貨Ｃが真の硬貨であると判定し、いずれか一つの項目で異常と判定された場合は判別硬貨Ｃが偽の硬貨であると判定する。
【００１４】
このように、Ｘ線の硬貨Ｃにおける透過光線を可視光データに変換して真偽を判別するため、硬貨Ｃの表裏の模様すなわち刻印を重ね合わせて見ることができる。よって、例え表裏それぞれが精巧に造られていても、表の刻印の位相と裏の刻印の位相とがずれていれば、偽であることを判別できる。
したがって、表裏それぞれが精巧に造られていても、偽硬貨と判別することができる。
【００１５】
また、硬貨Ｃの厚さや刻印等の高さも検出できるため、正規のものに対しこれらが異なっていれば、偽であることを判別できる。
したがって、表裏の位相があっていても、偽硬貨と判別することができる。
【００１６】
さらに、Ｘ線照射装置１３は、硬貨搬送路１２上で搬送される硬貨ＣにＸ線を照射するものとされ、Ｘ線シンチレータ１４は、硬貨搬送路１２上で搬送される硬貨Ｃに対しＸ線照射装置１３により照射されたＸ線の硬貨Ｃにおける透過光線を受光するため、搬送中の硬貨Ｃを判別することができる。
【００１７】
ここで、上記したＸ線シンチレータ１４、光デバイス１５および画像処理装置１６として、図２に示す構成のＸ線イメージングデバイス２１を用いることができる。
このＸ線イメージングデバイス２１は、傷防止のための保護フィルム２２とＸ線シンチレータ１４と光デバイス１５と画像処理装置１６とがこの順に層状に一体化されたものである。
【００１８】
なお、以上においては、放射線としてＸ線を用いる場合を例にとり説明したが、勿論、他の放射線を用いてもよい。
【００１９】
【発明の効果】
以上詳述したように、本発明の硬貨判別装置によれば、放射線照射手段から硬貨に放射線を照射し、該放射線の硬貨透過光線を受光手段で受光し可視光データに変換して、さらに該可視光データを画像処理手段で画像データに変換して、該画像データを判別手段が基準データと比較して硬貨の真偽を判別する。
このように、放射線の硬貨透過光線を可視光データに変換して真偽を判別するため、硬貨の厚さおよび模様すなわち打刻された刻印等の高さから偽であることを判別できる。
したがって、表裏の位相があっていても、偽硬貨と判別することができる。
【図面の簡単な説明】
【図１】本発明の硬貨判別装置の一の実施の形態を概略的に示す構成図である。
【図２】本発明の硬貨判別装置の一の実施の形態のＸ線シンチレータ、光デバイスおよび画像処理装置として用いることができるＸ線イメージングデバイスを示す側面図である。
【符号の説明】
１１  硬貨判別装置
１２  硬貨搬送路
１３  Ｘ線照射装置（放射線照射手段）
１４  受光手段（Ｘ線シンチレータ）
１５  光デバイス
１６  画像処理装置（画像処理手段）
Ｃ  硬貨
【図１】
0003618536.tif 000002
【図２】
0003618536.tif 000003